【手続補正書】
【提出日】平成27年11月18日(2015.11.18)
【手続補正１】
【補正対象書類名】特許請求の範囲
【補正対象項目名】全文
【補正方法】変更
【補正の内容】
【特許請求の範囲】
【請求項１】
シフトレジスタであって、
電圧シフトモジュールと、電圧逆方向モジュールと、補充電圧モジュールと、電圧シフト制御モジュールと、第１の出力ポートと、第２の出力ポートとを有し、
電圧シフトモジュールは、第１の起動電圧信号の制御のもとで起動電圧と同じ方向の電圧を受け付け、第２の起動電圧信号の制御のもとで、受け付けた起動電圧と同じ方向の電圧を前記第２の出力ポートから出力し、同時に電圧逆方向モジュールに出力し、
電圧逆方向モジュールは、電圧シフトモジュールに接続され、受け付けた前記電圧シフトモジュールが出力した電圧と逆方向電圧源が提供する電圧の制御のもとで、起動電圧と逆方向の電圧を、前記第１の出力ポートから出力し、同時に補充電圧モジュールに出力し、第１の起動電圧信号と起動電圧源の提供する電圧、あるいは第３の起動電圧信号と起動電圧源が提供する電圧の制御のもとで、起動電圧と同じ方向の電圧を前記第１の出力ポートから出力し、同時に補充電圧モジュールに出力し、
補充電圧モジュールは、電圧逆方向モジュールと電圧シフトモジュールとに接続され、受け付けた前記電圧逆方向モジュールが出力した電圧と逆方向電圧源が提供する電圧の制御のもとで、電圧逆方向モジュールが起動電圧と同じ方向の電圧を出力した場合、前記第２の出力ポートから前記起動電圧と逆方向の電圧を出力し、同時に電圧逆方向モジュールに出力し、
電圧シフト制御モジュールは電圧シフトモジュールに接続され、第３の起動電圧信号と逆方向電圧源が提供する電圧の制御のもとで、電圧シフトモジュールのオフを制御する、シフトレジスタ。
【請求項２】
前記第１の起動電圧信号は第１のクロック信号（ＣＬＫ１）であり、前記第２の起動電圧信号は第２のクロック信号（ＣＬＫ２）であり、前記第３の起動電圧信号は第３のクロック信号（ＣＬＫ３）である請求項１に記載のシフトレジスタ。
【請求項３】
前記電圧シフトモジュールは、
第１の起動電圧信号（ＣＬＫ１）の制御のもとでスイッチ操作を行い、受け付けた前記起動電圧と同じ方向の電圧を、充電電圧として第１のコンデンサに出力し、制御電圧として第２のスイッチ素子に出力するように制御する第１のスイッチ素子と、
第１のスイッチ素子がオンになって起動電圧と同じ方向の電圧を受け付けたとき、第２のスイッチ素子に一つの駆動制御電圧を提供するように充電を行う第１のコンデンサと、
第１のスイッチ素子が出力する起動電圧、第１のコンデンサが提供する駆動制御電圧あるいは第１の制御素子が出力する逆方向電圧の制御のもとでスイッチ操作を行い、起動電圧が第２の出力ポートから出力するように制御する第２のスイッチ素子と、を有し、
前記電圧逆方向モジュールは、
第３のスイッチ素子が出力する起動電圧の制御のもとでスイッチ操作を行い、逆方向電圧源が第４のスイッチ素子を通じて第１の出力ポートから出力するように制御する第４のスイッチ素子と、
第１の起動電圧信号（ＣＬＫ１）の制御のもとでスイッチ操作を行い、起動電圧源が充電電圧として第２のコンデンサに出力し、制御電圧として第６のスイッチ素子に出力するように制御する第５のスイッチ素子と、
第４のスイッチ素子がオンになって逆方向電圧源を受け付けたとき、第６のスイッチ素子をオフにする第２のコンデンサと、
第５のスイッチ素子、第７のスイッチ素子が出力する制御電圧あるいは第２のコンデンサの制御のもとでスイッチ操作を行い、起動電圧源が第１の出力ポートから出力するように制御する第６のスイッチ素子と、
第３の起動電圧信号（ＣＬＫ３）の制御のもとでスイッチ操作を行い、起動電圧源が制御電圧として第６のスイッチ素子に出力するように制御する第７のスイッチ素子と、を有し、
前記補充電圧モジュールは、
第１の出力ポートが出力する電圧の制御のもとでスイッチ操作を行い、逆方向電圧源がオフ電圧として第４のスイッチ素子に出力し、且つ逆方向電圧源を第２の出力ポートｋら出力するように制御する第３の制御素子と、を有し、
前記電圧シフト制御モジュールは、
第３の起動電圧信号（ＣＬＫ３）の制御のもとでスイッチ操作を行い、第１のコンデンサが逆方向電圧源と接続した後に放電するように制御し、逆方向電圧源が制御電圧として第２のスイッチ素子に出力するように制御する第１の制御素子と、を有し、
逆方向電圧源は起動電圧シフトモジュールの電圧と逆方向の電圧を出力するために用いられ、
起動電圧源は起動電圧シフトモジュールの電圧と同じ方向の電圧を出力するために用いられる請求項１または請求項２に記載のシフトレジスタ。
【請求項４】
当該シフトレジスタは、更に、
電圧シフトモジュールと電圧逆方向モジュールに接続され、起動電圧源が提供する電圧の制御のもとで、受け付けた電圧シフトモジュールが出力した電圧を電圧安定させた後に第２の出力ポートから出力し、且つ電圧逆方向モジュールに出力するために用いられる電圧安定モジュールと、
電圧逆方向モジュールと電圧安定モジュールに接続され、受け付けた前記電圧逆方向モジュールが第１の出力ポートから出力した電圧と逆方向電圧源が提供する電圧の制御のもとで、電圧逆方向モジュールが起動電圧と同じ方向の電圧を出力したときに、電圧安定モジュールをオフにするために用いられる電圧安定制御モジュールと、を有する請求項１ないし請求項３のいずれかに記載のシフトレジスタ。
【請求項５】
前記電圧安定モジュールは、
第２のスイッチ素子が出力する制御電圧あるいは第２の制御素子が出力する制御電圧の制御のもとでスイッチ操作を行い、起動電圧源が制御電圧として第４のスイッチ素子に出力するように制御し、起動電圧源が第２の出力ポートから出力するように制御する第３のスイッチ素子と、を有し、
前記電圧安定制御モジュールは、
第１の出力ポートが出力する電圧の制御のもとでスイッチ操作を行い、逆方向電圧源がオフ電圧として第３のスイッチ素子に出力するように制御する第２の制御素子と、を有する請求項４に記載のシフトレジスタ。
【請求項６】
前記第１ないし第７のスイッチ素子、第１の制御素子ないし第３の制御素子がＮ型電界効果トランジスタである場合、前記逆方向電圧源は低電圧源（Ｖｇｌ）であり、前記起動電圧源は高電圧源（Ｖｇｈ）であり、且つ、
第１のスイッチ素子は、第１の薄膜トランジスタ（Ｍ１）を有し、当該第１の薄膜トランジスタは第１の起動電圧信号（ＣＬＫ１）を受け付ける一つのゲート極と、起動電圧と同じ方向の電圧を受け付ける一つのドレイン極と、第２の薄膜トランジスタ（Ｍ２）のゲート極と第１のコンデンサの一端に接続される一つのソース極とを有し、
第２のスイッチ素子は、第２の薄膜トランジスタ（Ｍ２）を有し、当該第２の薄膜トランジスタ（Ｍ２）は、第１の薄膜トランジスタ（Ｍ１）のソース極に接続される一つのゲート極と、第２の起動電圧信号（ＣＬＫ２）を受け付ける一つのドレイン極と、第３の薄膜トランジスタ（Ｍ３）のゲート極に接続される一つのソース極とを有し、
第１のコンデンサの一端は第２の薄膜トランジスタ（Ｍ２）のゲート極に接続され、他端は第２の薄膜トランジスタ（Ｍ２）のソース極に接続され、
第３のスイッチ素子は、第３の薄膜トランジスタ（Ｍ３）を有し、当該第３の薄膜トランジスタ（Ｍ３）は、第２の薄膜トランジスタ（Ｍ２）のソース極に接続される一つのゲート極と、高電圧源（Ｖｇｈ）を受け付ける一つのドレイン極と、第４の薄膜トランジスタ（Ｍ４）のゲート極と第２の出力ポートに接続される一つのソース極とを有し、
第４のスイッチ素子は、前記第４の薄膜トランジスタ（Ｍ４）を有し、当該第４の薄膜トランジスタ（Ｍ４）は、第３の薄膜トランジスタ（Ｍ３）のソース極に接続される一つのゲート極と、第１の出力ポートに接続される一つのドレイン極と、低電圧源（Ｖｇｌ）を受け付ける一つのソース極とを有し、
第５のスイッチ素子は、第５の薄膜トランジスタ（Ｍ５）を有し、当該第５の薄膜トランジスタ（Ｍ５）は、第１の起動電圧信号（ＣＬＫ１）を受け付ける一つのゲート極と、高電圧源（Ｖｇｈ）を受け付ける一つのドレイン極と、第６の薄膜トランジスタ（Ｍ６）のゲート極に接続される一つのソース極とを有し、
第２のコンデンサの一端は前記第６の薄膜トランジスタ（Ｍ６）のゲート極に接続され、他端は前記第６の薄膜トランジスタ（Ｍ６）のソース極に接続され、
第６のスイッチ素子は、前記第６の薄膜トランジスタ（Ｍ６）を有し、当該第６の薄膜トランジスタは、前記第５の薄膜トランジスタ（Ｍ５）と第７の薄膜トランジスタ（Ｍ７）のソース極に接続される一つのゲート極と、高電圧源（Ｖｇｈ）を受け付ける一つのドレイン極と、第４の薄膜トランジスタ（Ｍ４）のドレイン極に接続され、第１の出力ポートに接続される一つのソース極とを有し、
第７のスイッチ素子は、前記第７の薄膜トランジスタ（Ｍ７）を有し、当該第７の薄膜トランジスタ（Ｍ７）は、第３の起動電圧信号（ＣＬＫ３）を受け付ける一つのゲート極と、高電圧源（Ｖｇｈ）を受け付ける一つのドレイン極と、第６の薄膜トランジスタ（Ｍ６）のゲート極に接続される一つのソース極とを有し、
第１の制御素子は、第８の薄膜トランジスタ（Ｍ８）を有し、当該第８の薄膜トランジスタ（Ｍ８）は、第３の起動電圧信号（ＣＬＫ３）を受け付ける一つのゲート極と、第２の薄膜トランジスタ（Ｍ２）のゲート極に接続される一つのドレイン極と、低電圧源（Ｖｇｌ）を受け付ける一つのソース極とを有し、
第２の制御素子は、第９の薄膜トランジスタ（Ｍ９）を有し、当該第９の薄膜トランジスタ（Ｍ９）は、第４の薄膜トランジスタ（Ｍ４）のドレイン極に接続される一つのゲート極と、第３の薄膜トランジスタ（Ｍ３）のゲート極に接続される一つのドレイン極と、低電圧源（Ｖｇｌ）を受け付ける一つのソース極とを有し、
第３の制御素子は、第１０の薄膜トランジスタ（Ｍ１０）を有し、当該第１０の薄膜トランジスタは、第４の薄膜トランジスタ（Ｍ４）のドレイン極に接続される一つのゲート極と、第３の薄膜トランジスタ（Ｍ３）のソース極に接続される一つのドレイン極と、低電圧源（Ｖｇｌ）を受け付ける一つのソース極と、を有する請求項５に記載のシフトレジスタ。
【請求項７】
前記第１ないし第７のスイッチ素子、第１の制御素子ないし第３の制御素子がＰ型電界効果トランジスタである場合、前記逆方向電圧源は高電圧源（Ｖｇｈ）であり、前記起動電圧源は低電圧源（Ｖｇｌ）であり、且つ、
第１のスイッチ素子は、第１の薄膜トランジスタ（Ｍ１）を有し、当該第１の薄膜トランジスタ（Ｍ１）は第１の起動電圧信号（ＣＬＫ１）を受け付ける一つのゲート極と、起動電圧と同じ方向の電圧を受け付ける一つのドレイン極と、第２の薄膜トランジスタ（Ｍ２）のゲート極に接続される一つのソース極とを有し、
第２のスイッチ素子は、前記第２の薄膜トランジスタ（Ｍ２）を有し、当該第２の薄膜トランジスタ（Ｍ２）は、前記第１の薄膜トランジスタ（Ｍ１）のソース極に接続される一つのゲート極と、第２の起動電圧信号（ＣＬＫ２）を受け付ける一つのドレイン極と、第３の薄膜トランジスタ（Ｍ３）のゲート極に接続される一つのソース極とを有し、
第１のコンデンサの一端は第２の薄膜トランジスタ（Ｍ２）のゲート極に接続され、他端は第２の薄膜トランジスタ（Ｍ２）のソース極に接続され、
第３のスイッチ素子は、前記第３の薄膜トランジスタ（Ｍ３）を有し、当該第３の薄膜トランジスタ（Ｍ３）は、前記第２の薄膜トランジスタ（Ｍ２）のソース極に接続される一つのゲート極と、低電圧源（Ｖｇｌ）を受け付ける一つのドレイン極と、第４の薄膜トランジスタ（Ｍ４）のゲート極と第２の出力ポートに接続される一つのソース極とを有し、
第４のスイッチ素子は、前記第４の薄膜トランジスタ（Ｍ４）を有し、当該第４の薄膜トランジスタ（Ｍ４）は、前記第３の薄膜トランジスタ（Ｍ３）のソース極に接続される一つのゲート極と、第１の出力ポートに接続される一つのドレイン極と、高電圧源（Ｖｇｈ）を受け付ける一つのソース極とを有し、
第５のスイッチ素子は、第５の薄膜トランジスタ（Ｍ５）を有し、当該第５の薄膜トランジスタ（Ｍ５）は、第１の起動電圧信号（ＣＬＫ１）を受け付ける一つのゲート極と、低電圧源（Ｖｇｌ）を受け付ける一つのドレイン極と、第６の薄膜トランジスタ（Ｍ６）のゲート極に接続される一つのソース極とを有し、
第２のコンデンサの一端は第６の薄膜トランジスタ（Ｍ６）のゲート極に接続され、他端は第６の薄膜トランジスタ（Ｍ６）のソース極に接続され、
第６のスイッチ素子は、前記第６の薄膜トランジスタ（Ｍ６）を有し、当該第６の薄膜トランジスタは、前記第５の薄膜トランジスタ（Ｍ５）のソース極に接続される一つのゲート極と、低電圧源（Ｖｇｌ）を受け付ける一つのドレイン極と、第１の出力ポートに接続される一つのソース極とを有し、
第７のスイッチ素子は、第７の薄膜トランジスタ（Ｍ７）を有し、当該第７の薄膜トランジスタ（Ｍ７）は、第３の起動電圧信号（ＣＬＫ３）を受け付ける一つのゲート極と、低電圧源（Ｖｇｌ）を受け付ける一つのドレイン極と、前記第６の薄膜トランジスタ（Ｍ６）のゲート極に接続される一つのソース極とを有し、
第１の制御素子は、第８の薄膜トランジスタ（Ｍ８）を有し、当該第８の薄膜トランジスタ（Ｍ８）は、第３の起動電圧信号（ＣＬＫ３）を受け付ける一つのゲート極と、前記第２の薄膜トランジスタ（Ｍ２）のゲート極に接続される一つのドレイン極と、高電圧源（Ｖｇｈ）を受け付ける一つのソース極とを有し、
第２の制御素子は、第９の薄膜トランジスタ（Ｍ９）を有し、当該第９の薄膜トランジスタ（Ｍ９）は、前記第４の薄膜トランジスタ（Ｍ４）のドレイン極に接続される一つのゲート極と、第３の薄膜トランジスタ（Ｍ３）のゲート極に接続される一つのドレイン極と、高電圧源（Ｖｇｈ）を受け付ける一つのソース極とを有し、
第３の制御素子は、第１０の薄膜トランジスタ（Ｍ１０）を有し、当該第１０の薄膜トランジスタは、前記第４の薄膜トランジスタ（Ｍ４）のドレイン極に接続される一つのゲート極と、前記第３の薄膜トランジスタ（Ｍ３）のソース極に接続される一つのドレイン極と、高電圧源（Ｖｇｈ）を受け付ける一つのソース極と、を有する請求項５に記載のシフトレジスタ。
【請求項８】
シフトレジスタがシフトを実現する方法であって、前記シフトレジスタは、電圧シフトモジュールと、電圧逆方向モジュールと、補充電圧モジュールと、電圧シフト制御モジュールと、第１の出力ポートと、第２の出力ポートとを有し、当該方法は、
電圧シフトモジュールは、第１の起動電圧の制御のもとで起動電圧と同じ方向の電圧を受け付け、第２の起動電圧信号の制御のもとで第２の出力ポートから起動電圧と同じ方向の電圧を出力し、
電圧逆方向モジュールは、受け付けた電圧シフトモジュールが出力した電圧の制御のもとで、起動電圧と逆方向の電圧を、前記第１の出力ポートから出力し、第１の起動電圧と第３の起動電圧の制御のもとで、起動電圧と同じ方向の電圧を前記第１の出力ポートから出力し、
補充電圧モジュールは、受け付けた前記電圧逆方向モジュールが出力した電圧の制御のもとで、電圧逆方向モジュールが起動電圧を出力した場合に、前記第２の出力ポートから前記起動電圧と逆方向の電圧を出力し、
電圧シフト制御モジュールは、受け付けた第３の起動電圧の制御のもとで、電圧逆方向モジュールが起動電圧を出力した場合に、電圧シフトモジュールのオフを制御する方法。
【請求項９】
駆動回路であって、第１段のシフトレジスタと、最後の段のシフトレジスタと、少なくとも一つの中間の段のシフトレジスタを有し、それぞれのシフトレジスタは請求項１〜７のいずれかに記載のシフトレジスタであり、前記シフトレジスタ間はカスケード接続方式で接続され、一段上のシフトレジスタにおける第２の出力ポートは一段下のシフトレジスタの電圧シフトモジュールに接続され、
第１段のシフトレジスタは、外部電圧を受け付け、第２の出力ポートから一段下のシフトレジスタに電圧を出力し、且つ第１の出力ポートから第２の出力ポートが出力する電圧と逆方向の電圧を出力するために用いられ、
それぞれの中間の段のシフトレジスタは、一段上のシフトレジスタの第２の出力ポートが出力する電圧を受け付け、各自の第２の出力ポートから一段下のシフトレジスタに電圧を出力し、且つ各自の第１の出力ポートから各自の第２の出力ポートが出力する電圧と逆方向の電圧を出力するために用いられ、
最後の段のシフトレジスタは、一段上のシフトレジスタの第２の出力ポートが出力する電圧を受け付け、且つ第１の出力ポートからその第２の出力ポートが出力する電圧と逆方向の電圧を出力するために用いられ、
一段上のシフトレジスタの第１の起動電圧信号のオフを制御した後、一段下のシフトレジスタの第１の起動電圧信号のオンを制御する、駆動回路。
【請求項１０】
表示装置であって、請求項９に記載の駆動回路を有する表示装置。